(57)【要約】【課題】出力する音声の音質を入力するアナログ音声の音質に維持できる「オーディオシステム、オーディオプレイヤ及びオーディオ装置」を提供する。【解決手段】オーディオプレイヤは、次に再生するオーディオデータのサンプリングレートをを識別し、識別したサンプリングレートを表す可聴帯域外の信号音であるフォーマット識別信号音をオーディオ装置１に出力する。オーディオ装置１は、フォーマット識別信号音の入力が検出されたならば、スピーカ１１７への出力のミュートし、フォーマット識別信号音が表すサンプリングレートのオーディオデータの周波数帯域にオーディオ装置１の出力帯域が適合するように各部の動作の動作モードを設定し、スピーカ１１７への出力のミュートを解除する。【選択図】図１
2017126813.tif 000002
【特許請求の範囲】
【請求項１】
デジタルオーディオコンテンツを再生してアナログ音声を生成しアナログ音声伝送用の伝送路に出力するオーディオプレイヤと、前記伝送路から入力するアナログ音声に信号処理を施し、信号処理を施した音声を出力するオーディオ装置とを備えたオーディオシステムであって、
前記オーディオプレイヤは、
前記デジタルオーディオコンテンツを再生して生成したアナログ音声の再生出力に先立って、当該デジタルオーディオコンテンツのサンプリングレートを識別し、識別したサンプリングレートを表す可聴帯域外の信号音である識別信号音を前記伝送路に出力する信号音出力手段を有し、
前記オーディオ装置は、
前記伝送路を介してオーディオプレイヤから入力する前記可聴帯域外の識別信号音を検出する信号音検出手段と、
前記信号音検出手段が検出した識別信号音が表すサンプリングレートのオーディオデータの帯域に、当該オーディオ装置において前記アナログ音声に対して施す信号処理の帯域を整合させる帯域設定手段とを有することを特徴とするオーディオ装置。
【請求項２】
請求項１記載のオーディオシステムであって、
前記オーディオ装置は、前記信号音検出手段が前記可聴帯域外の識別信号音を検出したときに、当該オーディオ装置からの前記音声の出力を一時停止し、前記帯域設定手段が、前記信号処理の帯域の整合を行ったならば、当該オーディオ装置からの前記音声の出力を再開する出力一時停止手段を有することを特徴とするオーディオシステム。
【請求項３】
デジタルオーディオコンテンツを再生してアナログ音声を生成しアナログ音声伝送用の伝送路に出力するオーディオプレイヤと、前記伝送路から入力するアナログ音声に信号処理を施し、信号処理を施した音声を出力するオーディオ装置とを備えたオーディオシステムであって、
前記オーディオプレイヤは、
前記デジタルオーディオコンテンツを再生して生成したアナログ音声の再生出力に先立って、当該デジタルオーディオコンテンツのサンプリングレートを識別し、所定の可聴帯域外の信号音である開始信号音を前記伝送路に出力し、その後に識別したサンプリングレートを表す信号音である識別信号音を前記伝送路に出力する信号音出力手段を有し、
前記オーディオ装置は、
前記伝送路を介してオーディオプレイヤから入力する前記可聴帯域外の前記開始信号音と、識別信号音を検出する信号音検出手段と、
前記信号音検出手段が検出した識別信号音が表すサンプリングレートのオーディオデータの帯域に、当該オーディオ装置において前記アナログ音声に対して施す信号処理の帯域を整合させる帯域設定手段と、
前記信号音検出手段が前記可聴帯域外の開始信号音を検出したときに、当該オーディオ装置からの前記音声の出力を一時停止し、前記帯域設定手段が、前記信号処理の帯域の整合を行ったならば、当該オーディオ装置からの前記音声の出力を再開する出力一時停止手段を有することを特徴とするオーディオシステム。
【請求項４】
デジタルオーディオコンテンツを再生してアナログ音声を生成しアナログ音声伝送用の伝送路に出力するオーディオプレイヤと、前記伝送路から入力するアナログ音声に信号処理を施し、信号処理を施した音声を出力するオーディオ装置とを備えたオーディオシステムであって、
前記オーディオプレイヤは、
前記デジタルオーディオコンテンツを再生して生成したアナログ音声の再生出力に先立って、当該デジタルオーディオコンテンツのサンプリングレートを識別し、所定の可聴帯域外の信号音である開始信号音を前記伝送路に出力した後に識別したサンプリングレートを表す信号音である識別信号音を前記伝送路に出力し、その後に予め定めた終了信号音を前記伝送路に出力する信号音出力手段を有し、
前記オーディオ装置は、
前記伝送路を介してオーディオプレイヤから入力する前記可聴帯域外の前記開始信号音と、前記識別信号音と、前記終了信号音とを検出する信号音検出手段と、
前記信号音検出手段が検出した識別信号音が表すサンプリングレートのオーディオデータの帯域に、当該オーディオ装置において前記アナログ音声に対して施す信号処理の帯域を整合させる帯域設定手段と、
前記信号音検出手段が前記可聴帯域外の開始信号音を検出したときに、当該オーディオ装置からの前記音声の出力を一時停止し、前記信号音検出手段が前記終了信号音を検出したときに、当該オーディオ装置からの前記音声の出力を再開する出力一時停止手段を有することを特徴とするオーディオシステム。
【請求項５】
請求項１、２、３または４記載のオーディオシステムであって、
前記オーディオ装置は、前記信号処理を行う信号処理部を有し、
当該信号処理部は、前記伝送路から入力するアナログ音声をオーディオデータに変換するＡＤ変換手段と、前記ＡＤ変換手段が変換したオーディオデータに、デジタル信号処理による所定の音響信号処理を施す音響信号処理手段と、前記音響信号処理手段が前記音響信号処理を施したオーディオデータを、当該オーディオ装置から出力するアナログ音声に変換するＤＡ変換手段とを有し、
前記帯域設定手段は、前記ＡＤ変換手段のサンプリングレートを、前記識別信号音が表すサンプリングレートに設定する設定動作と、前記音響信号処理の対象とする帯域を前記識別信号音が表すサンプリングレートのオーディオデータの帯域に設定する設定動作とを少なくとも含む動作を行うことにより、前記信号処理の帯域の整合を行うことを特徴とするオーディオシステム。
【請求項６】
デジタルオーディオコンテンツを再生してアナログ音声を生成しアナログ音声伝送用の伝送路に出力するオーディオプレイヤであって、
前記デジタルオーディオコンテンツを再生して生成したアナログ音声の再生出力に先立って、当該デジタルオーディオコンテンツのサンプリングレートを識別し、識別したサンプリングレートを表す可聴帯域外の信号音である識別信号音を前記伝送路に出力する信号音出力手段を有することを特徴とするオーディオプレイヤ。
【請求項７】
デジタルオーディオコンテンツを再生してアナログ音声を生成しアナログ音声伝送用の伝送路に出力するオーディオプレイヤから、前記伝送路を介して入力するアナログ音声に信号処理を施し、信号処理を施した音声を出力するオーディオ装置であって、
前記伝送路を介してオーディオプレイヤから入力する、サンプリングレートを表す可聴帯域外の識別信号音を検出する信号音検出手段と、
前記信号音検出手段が検出した識別信号音が表すサンプリングレートのオーディオデータの帯域に、当該オーディオ装置において前記アナログ音声に対して施す信号処理の帯域を整合させる帯域設定手段とを有することを特徴とするオーディオ装置。
【発明の詳細な説明】
【技術分野】
【０００１】
本発明は、入力するアナログ音声に音響信号処理を施して出力するオーディオ装置における出力音声の音質向上の技術に関するものである。
【背景技術】
【０００２】
入力するアナログ音声に音響信号処理を施して出力するオーディオ装置としては、ポータブルオーディオプレイヤから出力されるアナログ音声信号を入力し、入力したアナログ音声信号に増幅等の音響信号処理を施してスピーカに出力するオーディオ装置が知られている（たとえば、特許文献１）。
【０００３】
また、ポータブルオーディオプレイヤとしては、ハイレゾリューション等と呼ばれる、可聴域の周波数を超える周波数成分を含むように、高サンプリングレートでサンプリングされたオーディオデータを再生出力するポータブルオーディオプレイヤも知られている（たとえば、特許文献２）。
【先行技術文献】
【特許文献】
【０００４】
【特許文献１】特開2008-205628号公報
【特許文献２】特開2014-158553号公報
【発明の概要】
【発明が解決しようとする課題】
【０００５】
ポータブルオーディオプレイヤから入力するアナログ音声に音響信号処理を施して出力するオーディオ装置において、ポータブルオーディオプレイヤから出力されるアナログ音声の周波数帯域が変化する場合には次のような問題が生じる。
【０００６】
すなわち、高サンプリングレート/広周波数帯域のアナログ音声に、オーディオ装置の出力音声の周波数帯域を整合させると、ポータブルオーディオプレイヤから低サンプリングレート/狭周波数帯域のアナログ音声が出力された場合に、アナログ音声の周波数帯域外のノイズ成分がオーディオ装置から出力されてしまうために、出力する音声の音質が入力するアナログ音声よりも低質化してしまう。一方、低サンプリングレート/狭周波数帯域のアナログ音声に、オーディオ装置の出力音声の周波数帯域を整合させると、ポータブルオーディオプレイヤから高サンプリングレート/広周波数帯域のアナログ音声が出力された場合に、周波数帯域の狭域化により、オーディオ装置から出力する音声の音質が入力するアナログ音声よりも低質化してしまう。
【０００７】
そこで、本発明は、入力するアナログ音声に音響信号処理を施して出力するオーディオ装置において、入力するアナログ音声の周波数帯域が変化する場合でも、出力する音声の音質を入力するアナログ音声の音質に維持することを課題とする。
【課題を解決するための手段】
【０００８】
前記課題達成のために、本発明は、デジタルオーディオコンテンツを再生してアナログ音声を生成しアナログ音声伝送用の伝送路に出力するオーディオプレイヤと、前記伝送路から入力するアナログ音声に信号処理を施し、信号処理を施した音声を出力するオーディオ装置とを備えたオーディオシステムにおいて、前記オーディオプレイヤに、前記デジタルオーディオコンテンツを再生して生成したアナログ音声の再生出力に先立って、当該デジタルオーディオコンテンツのサンプリングレートを識別し、識別したサンプリングレートを表す可聴帯域外の信号音である識別信号音を前記伝送路に出力する信号音出力手段を備え、前記オーディオ装置に、前記伝送路を介してオーディオプレイヤから入力する前記可聴帯域外の識別信号音を検出する信号音検出手段と、前記信号音検出手段が検出した識別信号音が表すサンプリングレートのオーディオデータの帯域に、当該オーディオ装置において前記アナログ音声に対して施す信号処理の帯域を整合させる帯域設定手段とを備えたものである。
【０００９】
ここで、このようなオーディオシステムは、前記オーディオ装置に、前記信号音検出手段が前記可聴帯域外の識別信号音を検出したときに、当該オーディオ装置からの前記音声の出力を一時停止し、前記帯域設定手段が、前記信号処理の帯域の整合を行ったならば、当該オーディオ装置からの前記音声の出力を再開する出力一時停止手段を設けることが好ましい。
【００１０】
また、本発明は、前記課題達成のために、デジタルオーディオコンテンツを再生してアナログ音声を生成しアナログ音声伝送用の伝送路に出力するオーディオプレイヤと、前記伝送路から入力するアナログ音声に信号処理を施し、信号処理を施した音声を出力するオーディオ装置とを備えたオーディオシステムにおいて、前記オーディオプレイヤに、前記デジタルオーディオコンテンツを再生して生成したアナログ音声の再生出力に先立って、当該デジタルオーディオコンテンツのサンプリングレートを識別し、所定の可聴帯域外の信号音である開始信号音を前記伝送路に出力し、その後に識別したサンプリングレートを表す信号音である識別信号音を前記伝送路に出力する信号音出力手段を備え、前記オーディオ装置に、前記伝送路を介してオーディオプレイヤから入力する前記可聴帯域外の前記開始信号音と、識別信号音を検出する信号音検出手段と、
前記信号音検出手段が検出した識別信号音が表すサンプリングレートのオーディオデータの帯域に、当該オーディオ装置において前記アナログ音声に対して施す信号処理の帯域を整合させる帯域設定手段と、前記信号音検出手段が前記可聴帯域外の開始信号音を検出したときに、当該オーディオ装置からの前記音声の出力を一時停止し、前記帯域設定手段が、前記信号処理の帯域の整合を行ったならば、当該オーディオ装置からの前記音声の出力を再開する出力一時停止手段を備えたものである。
【００１１】
また、前記課題達成のために、本発明は、デジタルオーディオコンテンツを再生してアナログ音声を生成しアナログ音声伝送用の伝送路に出力するオーディオプレイヤと、前記伝送路から入力するアナログ音声に信号処理を施し、信号処理を施した音声を出力するオーディオ装置とを備えたオーディオシステムにおいて、前記オーディオプレイヤに、前記デジタルオーディオコンテンツを再生して生成したアナログ音声の再生出力に先立って、当該デジタルオーディオコンテンツのサンプリングレートを識別し、所定の可聴帯域外の信号音である開始信号音を前記伝送路に出力した後に識別したサンプリングレートを表す信号音である識別信号音を前記伝送路に出力し、その後に予め定めた終了信号音を前記伝送路に出力する信号音出力手段を備え、前記オーディオ装置に、前記伝送路を介してオーディオプレイヤから入力する前記可聴帯域外の前記開始信号音と、識別信号音と、前記終了信号音とを検出する信号音検出手段と、前記信号音検出手段が検出した識別信号音が表すサンプリングレートのオーディオデータの帯域に、当該オーディオ装置において前記アナログ音声に対して施す信号処理の帯域を整合させる帯域設定手段と、前記信号音検出手段が前記可聴帯域外の開始信号音を検出したときに、当該オーディオ装置からの前記音声の出力を一時停止し、前記信号音検出手段が前記終了信号音を検出したときに、当該オーディオ装置からの前記音声の出力を再開する出力一時停止手段を備えたものである。
【００１２】
ここで、以上のようなオーディオシステムは、前記オーディオ装置は、前記信号処理を行う信号処理部として、前記伝送路から入力するアナログ音声をオーディオデータに変換するＡＤ変換手段と、前記ＡＤ変換手段が変換したオーディオデータに、デジタル信号処理による所定の音響信号処理を施す音響信号処理手段と、前記音響信号処理手段が前記音響信号処理を施したオーディオデータを、当該オーディオ装置から出力するアナログ音声に変換するＤＡ変換手段とを備えた信号処理部を備えたものとしてもよい。また、この場合には、前記帯域設定手段において、前記ＡＤ変換手段のサンプリングレートを、前記識別信号音が表すサンプリングレートに設定する設定動作と、前記音響信号処理の対象とする帯域を前記識別信号音が表すサンプリングレートのオーディオデータの帯域に設定する設定動作とを少なくとも含む動作を行うことにより、前記信号処理の帯域の整合を行うようにしてよい。
【００１３】
また、併せて、本発明は、デジタルオーディオコンテンツを再生してアナログ音声を生成しアナログ音声伝送用の伝送路に出力するオーディオプレイヤとして、前記デジタルオーディオコンテンツを再生して生成したアナログ音声の再生出力に先立って、当該デジタルオーディオコンテンツのサンプリングレートを識別し、識別したサンプリングレートを表す可聴帯域外の信号音である識別信号音を前記伝送路に出力する信号音出力手段を備えたオーディオプレイヤを提供する。
【００１４】
また、本発明は、併せて、デジタルオーディオコンテンツを再生してアナログ音声を生成しアナログ音声伝送用の伝送路に出力するオーディオプレイヤから、前記伝送路を介して入力するアナログ音声に信号処理を施し、信号処理を施した音声を出力するオーディオ装置として、前記伝送路を介してオーディオプレイヤから入力する前記可聴帯域外の識別信号音を検出する信号音検出手段と、前記信号音検出手段が検出した識別信号音が表すサンプリングレートのオーディオデータの帯域に、当該オーディオ装置において前記アナログ音声に対して施す信号処理の帯域を整合させる帯域設定手段とを備えたオーディオ装置を提供する。
【００１５】
本発明に係るオーディオシステムによれば、オーディオプレイヤからアナログ音声伝送用の伝送路を介して識別信号音により再生出力するデジタルオーディオコンテンツのサンプリングレートをオーディオ装置に通知し、オーディオ装置において識別信号音により通知されたサンプリングレートのオーディオデータの帯域に、当該オーディオ装置において前記アナログ音声に対して施す信号処理の帯域を整合させるので、オーディオ装置から出力する音声の帯域を入力するアナログ音声の帯域に整合させることができる。
【００１６】
また、本発明によれば、識別信号音または開始信号音を可聴帯域外の信号音としているので、オーディオ装置において前記アナログ音声に対して施す信号処理の帯域を整合させる動作によって、ユーザに聴覚上の影響を与えることはない。
【００１７】
よって、本発明によれば、ユーザに聴覚上の影響を与えることなく、オーディオ装置から出力する音声の音質を入力するアナログ音声の音質に維持することができる。
【発明の効果】
【００１８】
以上のように、本発明によれば、入力するアナログ音声に音響信号処理を施して出力するオーディオ装置において、入力するアナログ音声の周波数帯域が変化する場合でも、出力する音声の音質を入力するアナログ音声の音質に維持することができる。
【図面の簡単な説明】
【００１９】
【図１】本発明の第１実施形態に係るオーディオシステムの構成を示すブロック図である。
【図２】本発明の第１実施形態に係る楽曲再生出力処理と出力帯域切替処理を示すフローチャートである。
【図３】本発明の第１実施形態に係るオーディオシステムの動作例を示す図である。
【図４】本発明の第２実施形態に係る楽曲再生出力処理と出力帯域切替処理を示すフローチャートである。
【図５】本発明の第２実施形態に係るオーディオシステムの動作例を示す図である。
【発明を実施するための形態】
【００２０】
以下、本発明の実施形態について説明する。
まず、第１の実施形態について説明する。
図１に、本実施形態に係るオーディオシステムの構成を示す。
図示するように、オーディオシステムは、カーオーディオ装置等であるオーディオ装置１と、オーディオ装置１に選択的に接続されるポータブルオーディオプレイヤ２から構成される。
【００２１】
そして、オーディオ装置１は、外部入力端子１１１から入力するアナログ音声を受信し、出力する入力アンプ１１２、入力アンプ１１２が出力するアナログ音声をオーディオデータに変換し出力する、サンプリングレートが可変な第１ＡＤコンバータ１１３、第１ＡＤコンバータ１１３が出力するオーディオデータに、周波数特性の調整や周波数フィルタリング処理などの各種音響信号処理を施し出力するＤＳＰ（デジタルシグナルプロセッサ）１１４、ＤＳＰ１１４が出力するオーディオデータをアナログ音声に変換し出力するＤＡコンバータ１１５、ＤＡコンバータ１１５が出力するアナログ音声を増幅するアンプ１１６、アンプ１１６が増幅したアナログ音声を出力するスピーカ１１７、入力アンプ１１２が出力するアナログ音声をオーディオデータに変換し出力する第２ＡＤコンバータ１１８、入力装置１１９、表示装置１２０、以上各部の動作を制御する制御部１２１を備えている。
【００２２】
ここで、第２ＡＤコンバータ１１８のサンプリングレートは、後述する可聴帯域外の高周波数音であるフォーマット識別信号音の周波数を含む周波数帯を再現できるサンプリングレート（たとえば、192kHz）、すなわち、フォーマット識別信号音として用いられる最も高い周波数の２倍以上の周波数のサンプリングレートに設定されている。
【００２３】
次に、ポータブルオーディオプレイヤ２は、楽曲のオーディオファイルを記憶した記憶装置や、楽曲のオーディオトラックが記録されたCD などのリムーバブルな記憶媒体などである記憶部２１と、記憶部２１から読み出されたオーディオデータのデコード処理や各種音響信号処理を行い、処理後のオーディオデータを出力するＤＳＰ２２、ＤＳＰ２２が出力するオーディオデータアナログ音声に変換し出力するＤＡコンバータ２３、ＤＡコンバータ２３が出力するアナログ音声に選択的に信号音を合成して出力する信号音合成部２４、信号音合成部２４が出力するアナログ音声を外部出力端子２６から出力する出力アンプ２５、操作部２７、表示部２８、以上各部の動作を制御するコントローラ２９を備えている。
【００２４】
そして、このような構成において、ポータブルオーディオプレイヤ２の外部出力端子２６とオーディオ装置１の外部入力端子１１１はケーブルで接続されたときに、ポータブルオーディオプレイヤ２が外部出力端子２６から出力するアナログ音声は、外部入力端子１１１からオーディオ装置１に入力し、オーディオ装置１で各種音響信号処理が施された後にスピーカ１１７から出力される。
【００２５】
以下、このようなオーディオシステムにおいて、ポータブルオーディオプレイヤ２のコントローラ２９が行う楽曲再生出力処理と、オーディオ装置１が行う出力帯域切替処理について説明する。
【００２６】
ここで、楽曲再生出力処理は、記憶部２１に記憶された楽曲のオーディオデータの再生出力を制御する処理であり、この処理において、ポータブルオーディオプレイヤ２のコントローラ２９は、図２ａに示すように、まず、次に再生する楽曲のオーディオデータのサンプリングレートを含むフォーマットを識別する（ステップ２０２）。
【００２７】
そして、識別したフォーマットに整合する動作を行うモードに各部の動作モードを制御する（ステップ２０４）。
次に、コントローラ２９は、信号音合成部２４に、識別したサンプリングレートを表す可聴帯域外の信号音であるフォーマット識別信号音を、ＤＡコンバータ２３が出力するアナログ音声に合成させることにより、フォーマット識別信号音を外部出力端子２６から出力する（ステップ２０６）。
【００２８】
ここで、識別したサンプリングレートを表すフォーマット識別信号音としては、たとえば、サンプリングレート48 kHzを表すフォーマット識別信号音は24kHzの正弦波音声、サンプリングレート96kHzを表すフォーマット識別信号音は48 kHzの正弦波音声、サンプリングレート192kHzを表す信号音は96kHzのフォーマット識別信号音などとする。または、識別したサンプリングレートを表すフォーマット識別信号音は、48 kHzの正弦波音声のオンオフのパターンでサンプリングレートを表すものとしたり、48 kHzの正弦波音声の大きさでサンプリングレートを表すものなどとしてもよい。
【００２９】
そして、ポータブルオーディオプレイヤ２の各部を制御し、次に再生する楽曲のオーディオデータの再生出力、すなわち、次に再生する楽曲のオーディオデータの記憶部からの読み出し、デコード、音響信号処理、当該オーディオデータのアナログ音声の外部出力端子２６から出力を開始する（ステップ２０８）。
【００３０】
そして、ステップ２０８で再生出力を開始した楽曲のオーディオデータの再生出力が終了したならば（ステップ２１０）、ステップ２０２からの処理に戻る。
以上、ポータブルオーディオプレイヤ２のコントローラ２９が行う楽曲再生出力処理について説明した。
なお、以上の楽曲再生出力処理は、ステップ２０２で検出した次に再生する楽曲のオーディオデータのフォーマットが、その前に再生した楽曲のオーディオデータのフォーマットと同じである場合には、ステップ２０４、２０６をスキップしてステップ２０８に進む処理としてもよい。
【００３１】
次に、オーディオ装置１の制御部１２１が行う出力帯域切替処理について説明する。
図２ｂに示すように、出力帯域切替処理においてオーディオ装置１の制御部１２１は、外部入力端子１１１に入力したアナログ音声を第２ＡＤコンバータ１１８が変換したオーディオデータより、可聴帯域外の音声であるフォーマット識別信号音の入力を監視し、フォーマット識別信号音の入力が検出されたならば（ステップ２５２）、出力アンプ２５を制御しスピーカ１１７への出力のミュート（スピーカ１１７の出力の無音化）を開始する（ステップ２５４）。
【００３２】
そして、検出したフォーマット識別信号音が表すサンプリングレートを識別し（ステップ２５６）、識別したサンプリングレートのオーディオデータの周波数帯域にオーディオ装置１の出力帯域が適合するように各部の動作の動作モードを設定する（ステップ２５８）。
【００３３】
ここで、ステップ２５８における各部の動作モードを設定する動作として、制御部１２１は、たとえば、第１ＡＤコンバータ１１３のサンプリングレートを、フォーマット識別信号音から識別したサンプリングレートと同じサンプリングレートに設定する動作や、ＤＳＰ１１４で行う周波数フィルタリングとしてローパスフィルタ動作を行う場合のカットオフ周波数として、フォーマット識別信号音から識別したサンプリングレートの１／２の周波数を設定する動作や、ＤＳＰ１１４で行う音響信号処理やＤＡコンバータ１１５で行うデジタルアナログ変換において、オーディオデータを、フォーマット識別信号音から識別したサンプリングレートのオーディオデータとして取り扱わせるための設定を行う動作などを行う。
【００３４】
そして、出力アンプ２５を制御しスピーカ１１７への出力のミュートを解除し（ステップ２６０）、ステップ２５２からの処理に戻る。
以上、オーディオ装置１の制御部１２１が行う出力帯域切替処理について説明した。
ここで、このような第１実施形態に係るオーディオシステムの動作例を図３に示す。
図示するように、いま、ポータブルオーディオプレイヤ２が44.1kHzのサンプリングレートの楽曲Ａのオーディオデータを再生し、当該オーディオデータをアナログ変換したアナログ音声がオーディオ装置１に出力されているものとする。また、オーディオ装置１においてポータブルオーディオプレイヤ２から入力するアナログ音声を、44.1kHzのサンプリングレートのオーディオデータの周波数帯域で音響信号処理してスピーカ１１７から出力しているものとする。
【００３５】
この場合、ポータブルオーディオプレイヤ２は、楽曲Ａの再生を終了したならば、次に再生する楽曲Ｂのオーディオデータのサンプリングレート（192kHz）を識別し、識別したサンプリングレート（１９２kHz）を表す、可聴帯域外のフォーマット識別信号音をケーブルを介してオーディオ装置１に出力する。
【００３６】
このフォーマット識別信号音が入力したオーディオ装置１は、スピーカ１１７への出力をミュートし、各部の動作モードを設定しオーディオ装置１の出力帯域を、フォーマット識別信号音が表すサンプリングレート（192kHz）のオーディオデータの周波数帯域（96kHz）に切り替える。なお、このとき、フォーマット識別信号音は、オーディオ装置１においてスピーカ１１７から出力されることとなるが、フォーマット識別信号音は可聴帯域外の周波数の信号音であるので、フォーマット識別信号音がユーザに聞こえてしまうことはない。
【００３７】
そして、スピーカ１１７への出力のミュートを解除する。
そして、その後、ポータブルオーディオプレイヤ２が192kHzのサンプリングレートの楽曲Ｂのオーディオデータの再生を開始し、楽曲Ｂのオーディオデータをアナログ変換したアナログ音声がオーディオ装置１に入力すると、オーディオ装置１においてポータブルオーディオプレイヤ２から入力するアナログ音声は、192kHzのサンプリングレートのオーディオデータの周波数帯域で音響信号処理されスピーカ１１７から出力される。
【００３８】
以上、本発明の第１実施形態について説明した。
以下、本発明の第２実施形態について説明する。
本第２実施形態は、上述した第１実施形態と、ポータブルオーディオプレイヤ２のコントローラ２９が行う楽曲再生出力処理と、オーディオ装置１の制御部１２１が行う出力帯域切替処理の内容のみが異なる。
【００３９】
以下、本第２実施形態でポータブルオーディオプレイヤ２のコントローラ２９が行う楽曲再生出力処理と、本第２実施形態でオーディオ装置１が行う出力帯域切替処理について説明する。
図４ａに、本第２実施形態に係る楽曲再生出力処理の手順を示す。
図示するように、本第２実施形態では楽曲再生出力処理において、ポータブルオーディオプレイヤ２のコントローラ２９は、まず、次に再生する楽曲のオーディオデータのサンプリングレートを含むフォーマットを識別する（ステップ４０２）。
【００４０】
そして、識別したフォーマットに整合する動作を行うモードに各部の動作モードを制御する（ステップ４０４）。
次に、コントローラ２９は、信号音合成部２４に可聴帯域外の信号音である制御開始信号音をＤＡコンバータ２３が出力するアナログ音声に合成させることにより、制御開始信号音を外部出力端子２６から出力する（ステップ４０６）。
【００４１】
ここで、制御開始信号音としては、たとえば、48 kHzの正弦波音声を用いる。
そして、次に、信号音合成部２４にステップ４０２で識別したサンプリングレートを表すフォーマット識別信号音をＤＡコンバータ２３が出力するアナログ音声に合成させることにより、フォーマット識別信号音を外部出力端子２６から出力する（ステップ４０８）。なお、本第２実施形態において、フォーマット識別信号音は、可聴帯域外の音声である必要はない。
【００４２】
また、次に、信号音合成部２４に制御終了信号音をＤＡコンバータ２３が出力するアナログ音声に合成させることにより、制御終了信号音を外部出力端子２６から出力する（ステップ４１０）。なお、制御終了信号音も可聴帯域外の音声である必要はない。
【００４３】
そして、ポータブルオーディオプレイヤ２の各部を制御し、次に再生する楽曲のオーディオデータの再生出力、すなわち、次に再生する楽曲のオーディオデータの読み出し、デコード、音響信号処理、当該オーディオデータのアナログ音声の外部出力端子２６から出力を開始する（ステップ４１２）。
【００４４】
そして、ステップ４１２で再生出力を開始した楽曲のオーディオデータの再生出力が終了したならば（ステップ４１４）、ステップ４０２からの処理に戻る。
以上、本第２実施形態において、ポータブルオーディオプレイヤ２のコントローラ２９が行う楽曲再生出力処理について説明した。
なお、以上の楽曲再生出力処理は、ステップ４０２で検出した次に再生する楽曲のオーディオデータのフォーマットが、その前に再生した楽曲のオーディオデータのフォーマットと同じである場合には、ステップ４０４-４１０をスキップしてステップ４１２に進む処理としてもよい。
【００４５】
次に、本第２実施形態においてオーディオ装置１の制御部１２１が行う出力帯域切替処理について説明する。
図４ｂに示すように、出力帯域切替処理においてオーディオ装置１の制御部１２１は、第２ＡＤコンバータ１１８が外部入力端子１１１に入力したアナログ音声を変換したオーディオデータより、可聴帯域外の音声である制御開始信号音の入力を監視し、制御開始信号音の入力が検出されたならば（ステップ４５２）、出力アンプ２５を制御しスピーカ１１７への出力のミュート（スピーカ１１７の出力の無音化）を開始する（ステップ４５４）。
【００４６】
そして、次に、第２ＡＤコンバータ１１８が外部入力端子１１１に入力したアナログ音声を変換したオーディオデータより、フォーマット識別信号音の入力が検出されたならば（ステップ４５６）、検出したフォーマット識別信号音が表すサンプリングレートを識別し（ステップ４５８）、識別したサンプリングレートのオーディオデータの周波数帯域にオーディオ装置１の出力帯域が適合するように各部の動作の動作モードを設定する（ステップ４６０）。
【００４７】
次に、第２ＡＤコンバータ１１８が外部入力端子１１１に入力したアナログ音声を変換したオーディオデータより制御終了信号音の入力が検出されたならば（ステップ４６２）、出力アンプ２５を制御しスピーカ１１７への出力のミュートを解除し（ステップ４６４）、ステップ４５２からの処理に戻る。
【００４８】
以上、本第２実施形態においてオーディオ装置１の制御部１２１が行う出力帯域切替処理について説明した。
ここで、このような第２実施形態に係るオーディオシステムの動作例を図３に示す。
図示するように、いま、ポータブルオーディオプレイヤ２が44.1kHzのサンプリングレートの楽曲Ａのオーディオデータを再生し、当該オーディオデータをアナログ変換したアナログ音声がオーディオ装置１に出力されているものとする。また、オーディオ装置１においてポータブルオーディオプレイヤ２から入力するアナログ音声を、44.1kHzのサンプリングレートのオーディオデータの周波数帯域で音響信号処理してスピーカ１１７から出力しているものとする。
【００４９】
この場合、ポータブルオーディオプレイヤ２は、楽曲Ａの再生を終了したならば、可聴帯域外の制御開始信号音をケーブルを介してオーディオ装置１に出力する。
そして、この制御開始信号音が入力したオーディオ装置１は、スピーカ１１７への出力をミュートする。なお、このとき、制御開始信号音は、オーディオ装置１においてスピーカ１１７から出力されることとなるが、制御開始信号音は可聴帯域外の周波数の信号音であるので、制御開始信号音がユーザに聞こえてしまうことはない。
【００５０】
一方、制御開始信号音をオーディオ装置１に出力したポータブルオーディオプレイヤ２は、次に再生する楽曲Ｂのオーディオデータのサンプリングレート（192kHz）を識別し、識別したサンプリングレート（１９２kHz）を表す、フォーマット識別信号音をケーブルを介してオーディオ装置１に出力する。
【００５１】
そして、フォーマット識別信号音が入力したオーディオ装置１は、スピーカ１１７への出力をミュートし、各部の動作モードを設定しオーディオ装置１の出力帯域を、フォーマット識別信号音が表すサンプリングレート（192kHz）のオーディオデータの周波数帯域（96kHz）に切り替える。
【００５２】
一方、フォーマット識別をオーディオ装置１に出力したポータブルオーディオプレイヤ２は、次に、制御終了信号音をケーブルを介してオーディオ装置１に出力する。
また、制御終了信号音が入力したオーディオ装置１は、スピーカ１１７への出力のミュートを解除する。
そして、その後、ポータブルオーディオプレイヤ２が192kHzのサンプリングレートの楽曲Ｂのオーディオデータの再生を開始し、楽曲Ｂのオーディオデータをアナログ変換したアナログ音声がオーディオ装置１に入力すると、オーディオ装置１においてポータブルオーディオプレイヤ２から入力するアナログ音声は、192kHzのサンプリングレートのオーディオデータの周波数帯域で音響信号処理されスピーカ１１７から出力されることとなる。
【００５３】
以上、本発明の第２実施形態について説明した。
なお、以上の第２実施形態は、ポータブルオーディオプレイヤ２のコントローラ２９が行う楽曲再生出力処理を、ステップ４０８で、フォーマット識別信号音を出力したならば、ステップ４１０の制御終了信号音の出力を行わずに、そのままステップ４１２に進んで次に再生する楽曲のオーディオデータの再生出力を開始する処理とすると共に、オーディオ装置１の制御部１２１が行う出力帯域切替処理を、ステップ４６０で各部の動作の動作モードを設定したならば、そのままステップ４６４に進んで出力のミュートを解除し（ステップ４６４）、ステップ４５２に戻る処理としてもよい。
【００５４】
以上、本発明の実施形態について説明した
ここまで詳述してきたように、本実施形態によれば、ポータブルオーディオプレイヤ２からアナログ音声伝送用のケーブルを介してフォーマット識別信号音により再生出力するオーディオデータのサンプリングレートをオーディオ装置１に通知し、オーディオ装置１においてフォーマット識別信号音により通知されたサンプリングレートのオーディオデータの帯域に、オーディオ装置１の前記アナログ音声に対して施す音響信号処理の帯域を整合させるので、オーディオ装置１から出力する音声の帯域を、ポータブルオーディオプレイヤ２から入力するアナログ音声の帯域に整合させることができる。
【００５５】
また、第１実施形態においては、フォーマット識別信号音を可聴帯域外の信号音とし、第２実施形態においては、制御開始信号音を可聴帯域外の信号音としているので、以上のオーディオ装置１から出力する音声の帯域を、ポータブルオーディオプレイヤ２から入力するアナログ音声の帯域に整合させる動作において、ユーザに聴覚上の影響は与えない。
【００５６】
よって、ユーザに聴覚上の影響を与えることなく、オーディオ装置１から出力する音声の音質を、ポータブルオーディオプレイヤ２から入力するアナログ音声の音質に維持することができる。
【符号の説明】
【００５７】
１…オーディオ装置、２…ポータブルオーディオプレイヤ、２１…記憶部、２２…ＤＳＰ、２３…ＤＡコンバータ、２４…信号音合成部、２５…出力アンプ、２６…外部出力端子、２７…操作部、２８…表示部、２９…コントローラ、１１１…外部入力端子、１１２…入力アンプ、１１３…第１ＡＤコンバータ、１１４…ＤＳＰ、１１５…ＤＡコンバータ、１１６…アンプ、１１７…スピーカ、１１８…第２ＡＤコンバータ、１１９…入力装置、１２０…表示装置、１２１…制御部。
【図１】
2017126813.tif 000003
【図２】
2017126813.tif 000004
【図３】
2017126813.tif 000005
【図４】
2017126813.tif 000006
【図５】
2017126813.tif 000007